(57)【特許請求の範囲】
【請求項１】
吸気口と排気口を有する本体ケースと、この本体ケース内に設けられた空気清浄手段と加湿手段とを備え、この加湿手段は円板状の加湿フィルターと、この加湿フィルターを固定し回転自在に設けられた加湿フィルター枠と、前記加湿フィルターの下部に設けた略椀状の水槽と、この水槽に一定量の水を供給する水タンクと、前記加湿フィルター枠を回転させる回転手段とから形成され、前記加湿フィルターの一部が前記水槽に供給された水に常時浸るように前記加湿フィルター枠を設けると共に、前記吸気口から前記本体ケース内に吸気した空気を前記空気清浄手段、前記加湿フィルターを順次介して前記排気口へと送風する送風手段を設け、この送風手段を前記加湿フィルターの風路下流側に備え、前記加湿フィルター枠の上部に前記空気清浄手段と前記送風手段とを繋ぐバイパス風路を設け、前記バイパス風路内の前記空気清浄手段と加湿フィルターとの間に板形状の仕切り板を備え、前記加湿フィルターに対向した風路面に前記送風手段の吸込口を備え、この吸込口の周縁内部に整流手段を備え、前記整流手段は、前記吸込口の中心部より上半分に備え、前記整流手段は、前記加湿フィルター側に放射状に突起させた格子を備え、前記仕切り板の一方側の面は、前記空気清浄手段に対向し、前記仕切り板の下端は、前記本体ケースにおける前面から見て前記加湿フィルターの上端に位置することを特徴とする加湿機能付空気清浄装置。
【請求項２】
整流手段は、吸込口内において、中心に近づくほど多くなるように設けた請求項１に記載の加湿機能付空気清浄装置。
【発明の詳細な説明】
【技術分野】
【０００１】
本発明は、空気を浄化しながら加湿することのできる加湿機能付空気清浄装置に関する。
【背景技術】
【０００２】
従来のこの種の加湿機能付空気清浄装置の構成は以下のようになっていた。
【０００３】
すなわち、吸気口と排気口を有する本体ケースと、この本体ケース内で、前記吸気口から前記排気口に送風される送風路に空気清浄手段を設け、この空気清浄手段の前記送風路下流に加湿手段を設け、前記空気清浄手段と前記加湿手段との間に送風手段を設けた構成となっていた。
【先行技術文献】
【特許文献】
【０００４】
【特許文献１】特開２００８−０２５８９８号公報
【発明の概要】
【発明が解決しようとする課題】
【０００５】
上記従来例における課題は、空気清浄風量、及び、加湿空気清浄風量が少ないということであった。
【０００６】
すなわち、従来の物においては、送風手段によって吸気口から吸込まれた室内空気を、空気清浄手段および加湿手段を介し、排気口より室内に送風される。このように、加湿および空気清浄処理された加湿空気清浄空気が供給されるが、加湿手段は円筒形状の加湿フィルターで構成されているので、加湿手段に送風された空気は、まず加湿フィルターの外側から円筒形状の加湿フィルター内部に流れ、次に円筒形状の加湿フィルター内部から加湿フィルターの外側へ流れる。つまり、加湿フィルターを２回通過するので加湿手段での通風抵抗が大きくなる。
【０００７】
また、加湿手段の上部に吸気口、送風手段、および排気口が位置するので、加湿手段の上部から送風された空気を円筒形状の加湿フィルター内部で方向転換し、円筒形状の加湿フィルター内部から上部の排気口に送風される。すなわち、加湿手段で空気の流れを約１８０度方向転換することとなり、通風抵抗が大きくなる。
【０００８】
このように、通風抵抗が大きいので空気清浄風量、及び、加湿空気清浄空気の風量が小さくなる。
【０００９】
そこで本発明は、通風抵抗を小さくし空気清浄風量、及び、加湿空気清浄空気の風量を多くすることを目的とするものである。
【課題を解決するための手段】
【００１０】
そしてこの目的を達成するために本発明は、吸気口と排気口を有する本体ケースと、この本体ケース内に設けられた空気清浄手段と加湿手段とを備え、この加湿手段は円板状の加湿フィルターと、この加湿フィルターを固定し回転自在に設けられた加湿フィルター枠と、加湿フィルターの下部に設けた略椀状の水槽と、この水槽に一定量の水を供給する水タンクと、加湿フィルター枠を回転させる回転手段とから形成され、加湿フィルターの一部が水槽に供給された水に常時浸るように加湿フィルター枠を設けると共に、吸気口から本体ケース内に吸気した空気を空気清浄手段、加湿フィルターを順次介して排気口へと送風する送風手段を設け、この送風手段を加湿フィルターの風路下流側に備え、加湿フィルター枠の上部に空気清浄手段と送風手段とを繋ぐバイパス風路を設け、バイパス風路内の空気清浄手段と加湿フィルターとの間に板形状の仕切り板を備え、加湿フィルターに対向した風路面に送風手段の吸込口を備え、この吸込口の周縁内部に整流手段を備え、整流手段は、吸込口の中心部より上半分に備え、整流手段は、加湿フィルター側に放射状に突起させた格子を備え、前記仕切り板の一方側の面は、前記空気清浄手段に対向し、前記仕切り板の下端は、前記本体ケースにおける前面から見て前記加湿フィルターの上端に位置することを特徴とするものであり、これにより、初期の目的を達成するものである。
【発明の効果】
【００１１】
以上のように本発明は、吸気口と排気口を有する本体ケースと、この本体ケース内に設けられた空気清浄手段と加湿手段とを備え、この加湿手段は円板状の加湿フィルターと、この加湿フィルターを固定し回転自在に設けられた加湿フィルター枠と、前記加湿フィルターの下部に設けた略椀状の水槽と、この水槽に一定量の水を供給する水タンクと、前記加湿フィルター枠を回転させる回転手段とから形成され、前記加湿フィルターの一部が前記水槽に供給された水に常時浸るように前記加湿フィルター枠を設けると共に、前記吸気口から前記本体ケース内に吸気した空気を前記空気清浄手段、前記加湿フィルターを順次介して前記排気口へと送風する送風手段を設け、この送風手段を前記加湿フィルターの風路下流側に備え、前記加湿フィルター枠の上部に前記空気清浄手段と前記送風手段とを繋ぐバイパス風路を設け、前記バイパス風路内の前記空気清浄手段と加湿フィルターとの間に板形状の仕切り板を備え、前記加湿フィルターに対向した風路面に前記送風手段の吸込口を備え、この吸込口の周縁内部に整流手段を備え、この整流手段は、前記吸込口の中心部より上半分に備え、前記整流手段は、前記加湿フィルター側に放射状に突起させた格子を備え、前記仕切り板の一方側の面は、前記空気清浄手段に対向し、前記仕切り板の下端は、前記本体ケースにおける前面から見て前記加湿フィルターの上端に位置することにより、通風抵抗を小さくし空気清浄空気、及び、加湿空気清浄空気の風量を多くすることができるものである。
【００１２】
すなわち、吸込口の上半分に放射状の突起させた格子を備えることで、バイパス風路を通過した空気を均一に送風手段に流入させることができ、通風抵抗を小さくすることができ、前記仕切り板の一方側の面は、前記空気清浄手段に対向し、仕切り板の下端が加湿フィルターの上端の位置にあるということは、仕切り板の一方側の面に当たった空気が加湿フィルターに流れやすくなるものである。
【００１３】
これらの結果により、空気清浄空気、及び、加湿空気清浄空気の風量を多くすることができるものである。
【図面の簡単な説明】
【００１４】
【図１】本発明の実施の形態１の加湿機能付空気清浄装置の斜視図
【図２】同実施の形態１の加湿機能付空気清浄装置の断面図
【図３】同実施の形態１の加湿機能付空気清浄装置の斜視図
【発明を実施するための形態】
【００１５】
以下、本実施形態を添付図面を用いて説明する。
【００１６】
（実施の形態１）
図１、図２および図３に示すように、本実施形態の加湿機能付空気清浄装置は、吸気口１と排気口２を有する本体ケース３と、この本体ケース３内に設けられた空気清浄手段と加湿手段とを備えている。本体ケース３の側面には吸気口１を設け、本体ケース３の天面には排気口２を備えている。
【００１７】
空気清浄手段は蛇腹状に折られた濾材を額縁状の枠に固定された空気清浄フィルター５であり、吸気口１の近傍に設けられている。本体ケース３の吸気口１から吸い込まれた空気はまず、空気清浄フィルター５に流れ込むこととなる。
【００１８】
加湿手段は放湿部分と、この放湿部分を回転させる回転手段とから形成されている。
【００１９】
放湿部分は円板状の加湿フィルター６と、この加湿フィルター６を固定し回転自在に設けられた加湿フィルター枠７とから形成している。
【００２０】
加湿フィルター６は水を吸水する性質を持っており、水を吸水した状態で加湿フィルター６に空気が通過することにより、水が気化し、高湿度の空気を排気口２から部屋中に吐出するものである。
【００２１】
加湿フィルター枠７は、加湿フィルター６を挟み込んで固定するものである。また、加湿フィルター枠７は、水供給部分と放湿部分とを備えている。
【００２２】
水供給部分は、加湿フィルター６の下部には略椀状の水槽８を設け、この水槽８に一定の水を供給する水タンク４を備えている。加湿フィルター６の一部は水槽８に供給された水に常時浸るように加湿フィルター枠７を設置し、加湿フィルター６を回転させる回転手段である電動機９を設けている。
【００２３】
送風手段１０によって吸気口１から本体ケース３内に吸気した空気は空気清浄手段である空気清浄フィルター５、放湿部分である加湿フィルター６を順次介して排気口２へと送風される。この送風手段１０を加湿フィルター６の空気の流れ方向における風路下流側に備えたものである。
【００２４】
このような構成における空気清浄および、加湿動作について説明する。水タンク４より水槽８に常時に一定の水位となるように水が供給される。この水に放湿部分である加湿フィルター６の一部が常時浸った状態となる。ここで回転手段である電動機９によって、加湿フィルター６が回転し、加湿フィルター６を湿らせるという動作となっている。
【００２５】
本実施形態における特徴は、空気清浄手段と送風手段１０とを繋ぐバイパス風路１１を設け、加湿フィルター６とバイパス風路１１を送風手段１０の吸込口１２に対向した位置に設けると共に、バイパス風路１１内に板形状の仕切り板１３を備えたことである。また、吸込口１２の上流側の上半分に、送風手段１０の吸込口１２の中心から放射状に突起させた格子形状の整流手段１４を備えたものである。
【００２６】
すなわち、バイパス風路１１は空気清浄手段と送風手段１０とを加湿手段である加湿フィルター６を介さずに繋ぐものであり、吸気口１から本体ケース３内に吸気した空気は空気清浄手段である空気清浄フィルター５を通り、加湿手段である加湿フィルター６を介して送風手段１０に送風される空気清浄加湿風路とは別に、空気清浄フィルター５からバイパス風路１１を介して送風手段１０に送風される空気清浄風路を備えたものである。また、仕切り板１３は、バイパス風路１１内に備え、その形は板形状である。また、吸込口１２は段差形状であり、吸込口１２の上半分が出っ張っている。
【００２７】
このように、加湿手段である円板状の加湿フィルター６の下流側に送風手段１０を備え、空気清浄フィルター５と送風手段１０とを繋ぐバイパス風路１１を設けると共に、加湿フィルター６とバイパス風路１１を送風手段１０の吸込口１２に対向した位置に備えたので、吸気口１から吸気された空気は空気清浄フィルター５を介し、加湿フィルター６を通過し送風手段１０に吸い込まれる空気と、バイパス風路１１を通過し送風手段１０により吸い込まれる空気との２経路の空気が送風手段１０により排気口２から室内に排気される。
【００２８】
結果として、加湿フィルター６を通過する回数は１回となると共に、加湿手段である加湿フィルター６で空気の流れは方向転換せずに送風することとなる。つまり、吸気口１から吸気され空気清浄フィルター５を介し加湿フィルター６を通過し送風手段１０に吸い込まれる空気清浄加湿風路における加湿フィルター６での空気の流れが一直線となり、風路による通風抵抗を小さくすることができる。更に、加湿手段を介さないバイパス風路１１を設けたので、空気清浄風路は加湿手段である加湿フィルター６の通風抵抗がなくなり、代わりにバイパス風路１１の通風抵抗となるので、通風抵抗は小さくなる。また、バイパス風路１１を通過した空気は、送風手段１０の吸込口１２の中心から放射状に突起させた格子形状の整流手段１４により、送風手段１０の吸込口１２の周縁から送風手段へ入り込む空気の一部が、送風手段１０の吸込口１２の中心部へ流れ込み、吸込口１２付近の風速分布が一様になって、通風抵抗が小さくなると考えられる。
【００２９】
これらの結果により、空気清浄機空気、及び、加湿空気清浄空気の風量を多くすることができるものである。また、仕切り板１３は、過剰に空気清浄風路に空気が流れるのを防ぎ、加湿空気清浄風路の風量を多くすることができるものである。また、仕切り板１３は、送風手段から発生した騒音を遮音することができ、騒音を低減する効果を有する。
【００３０】
また、整流手段１４は、吸込口１２に流入する風速分布を不均一にすることを防ぎ、風速分布を一様にすることができ、通風抵抗を小さくすることができるものである。また、吸込口１２に流入する風速分布を一様にすることで、送風手段１０から発生する騒音を小さくすることができるものである。
【００３１】
また、仕切り板１３の下端は、本体ケース３における前面から見て加湿フィルター６の上端に位置する構成としたものである。すなわち、仕切り板１３の下端が加湿フィルター６の上端の位置にあるということは、空気が加湿フィルター６に流れやすくなる。その際、仕切り板１３を備えることにより、過剰に空気清浄風路に空気が流れるのを防ぎ、加湿空気清浄風路の風量を多くすることができるものである。
【００３２】
また、整流手段１４は、吸込口１２内において、中心に近づくほど多くなるように設けたものである。すなわち、整流手段１４を多くすることにより、吸込口１２に流入する風速分布を不均一にすることを防ぎ、風速分布を一様にすることができ、通風抵抗を小さくすることができると考えられる。また、結果として、送風手段１０から発生する騒音を小さくすることができるものである。
【産業上の利用可能性】
【００３３】
以上のように本発明は、吸気口と排気口を有する本体ケースと、この本体ケース内に設けられた空気清浄手段と加湿手段とを備え、この加湿手段は円板状の加湿フィルターと、この加湿フィルターを固定し回転自在に設けられた加湿フィルター枠と、前記加湿フィルターの下部に設けた略椀状の水槽と、この水槽に一定量の水を供給する水タンクと、前記加湿フィルター枠を回転させる回転手段とから形成され、前記加湿フィルターの一部が前記水槽に供給された水に常時浸るように前記加湿フィルター枠を設けると共に、前記吸気口から前記本体ケース内に吸気した空気を前記空気清浄手段、前記加湿フィルターを順次介して前記排気口へと送風する送風手段を設け、この送風手段を前記加湿フィルターの風路下流側に備え、前記加湿フィルター枠の上部に前記空気清浄手段と前記送風手段とを繋ぐバイパス風路を設け、前記バイパス風路内の前記空気清浄手段と加湿フィルターとの間に板形状の仕切り板を備え、前記加湿フィルターに対向した風路面に前記送風手段の吸込口を備え、この吸込口の周縁内部に整流手段を備え、前記整流手段は、前記吸込口の中心部より上半分に備え、前記整流手段は、前記加湿フィルター側に放射状に突起させた格子を備えたことにより、通風抵抗を小さくし空気清浄空気、及び、加湿空気清浄空気の風量を多くすることができるものである。
【００３４】
すなわち、加湿手段である円盤状の加湿フィルターの下流側に送風手段を備え、空気清浄手段と送風手段とを繋ぐバイパス風路を設けると共に、加湿フィルターとバイパス風路を送風手段の吸込口に対向した位置に備えたので、吸気口から吸気された空気は空気清浄手段を介し、加湿フィルターを通過し送風手段に吸い込まれる空気と、バイパス風路を通過し送風手段により吸い込まれる空気との２経路の空気が送風手段により排気口から室内に排気される。結果として、加湿フィルターを通過する回数は１回と半減すると共に、加湿手段である加湿フィルターで空気の流れは方向転換せずに送風することとなる。更に、加湿フィルターを介さないバイパス風路を設けたので、通風抵抗は小さくなる。また、仕切り板を備えることで、加湿フィルター及びバイパス風路を通過する風量の割合を調節することができる。また、吸込口の上半分に放射状の突起させた格子を備えることで、バイパス風路を通過した空気を均一に送風手段に流入させることができ、通風抵抗を小さくすることができるものである。
【００３５】
これらの結果により、空気清浄空気、及び、加湿空気清浄空気の風量を多くすることができるものである。
【００３６】
従って、家庭用や事務所用などの、加湿機能付空気清浄装置として活用が期待されるものである。
【符号の説明】
【００３７】
１    吸気口
２    排気口
３    本体ケース
４    水タンク
５    空気清浄フィルター
６    加湿フィルター
７    加湿フィルター枠
８    水槽
９    電動機
１０  送風手段
１１  バイパス風路
１２  吸込口
１３  仕切り板
１４  整流手段
【図１】
0006035504.tif 000002
【図２】
0006035504.tif 000003
【図３】
0006035504.tif 000004